(57)【特許請求の範囲】
【請求項１】
エキサイタコイルが巻装されたコイルコアと、該コイルコアの近傍に配置され、前記エキサイタコイルに電気的に接続されたストップ端子とを、該ストップ端子および前記コイルコアの一部が外部に露出するように樹脂モールドしてなる内燃機関の無接点点火装置用固定子であって、前記ストップ端子には、前記コイルコアに対する絶縁保護用の絶縁保護ブラケットが装着されてなり、該絶縁保護ブラケットは、前記ストップ端子の上半部を残して、該ストップ端子と該ストップ端子近傍の前記コイルコアの一部とを絶縁分離するように被う形態であることを特徴とする内燃機関の無接点点火装置用固定子。
【請求項２】
前記絶縁保護ブラケットは、前記ストップ端子付近に流入する空気を、前記ストップ端子の下流側へスムースに送り出す傾斜面を一部に有することを特徴とする請求項１に記載の内燃機関の無接点点火装置用固定子。
【発明の詳細な説明】
【技術分野】
【０００１】
本発明は、エキサイタコイルおよびこのエキサイタコイルを巻装したコイルコアとともに、内燃機関を強制的に停止するためのストップ端子が一体に備えられた内燃機関の無接点点火装置用固定子に関する。
【背景技術】
【０００２】
従来の内燃機関の無接点点火装置として、内燃機関を設定回転数以下で運転制御する過回転防止機能を持つものが提案されている（例えば、特許文献１参照）。この無接点点火装置は、図６に示すように、磁石５を挟んで配置された磁極６、７を有するロータ３と、このロータ３に対向配置されて、エキサイタコイル１およびトリガコイル２を巻装したコイルコア４とを備える。
【０００３】
また、この内燃機関の無接点点火装置にあっては、図７に示すように、前記エキサイタコイル１が誘起する電圧を、点火用充放電コンデンサ１０に充電しておき、トリガコイル２が誘起する電圧が所定のトリガレベルに達したときに、サイリスタなどのスイッチング素子１２をトリガしてこれを導通させるようにしている。
【０００４】
これにより、前記点火用充放電コンデンサ１０の電荷をイグニッションコイル１１に供給し、点火プラグ１３に高電圧が印加して、これに火花を発生させることができる。この火花により気筒内の燃焼室で混合気に点火が行われ、内燃機関が運転される。
【０００５】
一方、前記トリガコイル２に、これが誘起する電圧を充電する充電回路８を接続し、内燃機関が設定回転数を超えたとき、その充電回路８の放電時定数に基づく前記スイッチング素子１２のオン制御によって、前記点火用充放電コンデンサ１０の充電を禁止し、内燃機関の設定回転数以上での運転停止（過回転防止）を図っている。
【０００６】
さらに、前記エキサイタコイル１にストップ端子１５を接続し、このストップ端子１５をマニュアルタイプのストップスイッチ１６を介してグランドに接続したものが、実施されている。これによれば、ストップスイッチ１６のスイッチオン操作時に、前記点火用充放電コンデンサ１０への充電を強制的に禁止することができるため、内燃機関を任意のタイミングにて急速停止させることができる。
【０００７】
なお、図７において、符号９、１４は点火用充放電コンデンサに対する充電電圧整流用のダイオードである。
【０００８】
ところで、このような内燃機関の急速停止を実現する内燃機関の無接点点火装置では、図８の正面図および図９の要部の斜視図に示すように、前記コイルコア４およびストップ端子１５の一部が外部に露出されるように、前記コイルコア４に巻装したエキサイタコイル１およびトリガコイル２が樹脂モールドされて、樹脂モールド体１７とされる場合がある。
【０００９】
この樹脂モールド体を使用すれば、無接点点火装置の小型化、コンパクト化および組立作業の容易化、さらには部品の搬送や取り扱いなどの部品管理上の利便を図ることができる。
【特許文献１】特開２００１−１９３６１８号公報
【発明の開示】
【発明が解決しようとする課題】
【００１０】
しかしながら、前記のような従来の内燃機関の無接点点火装置にあっては、前記樹脂モールドによる各エキサイタコイル１、トリガコイル２およびコイルコア４を含む固定子部分の小形化やコンパクト化によって、ストップ端子１５とコイルコア４とが、互いに樹脂から露出する部分間で距離が短くなっていた。
【００１１】
このため、これらの露出部分間に水分を含む木屑、草、塵埃などのゴミが挟まることによって、ストップ端子１４がコイルコア４を通じてショート状態となり、点火用充放電コンデンサ１０への供給電圧レベルの低下または遮断が生じ、内燃機関が正常に動作しなくなるという問題点があった。
【００１２】
特に、内燃機関の吸気や冷却のために、この内燃機関に外気を導入するタイプの草刈機やチェーンソーなどでは、このようなゴミの進入量および付着量が顕著であり、そのゴミによる前記問題の解決が望まれていた。
【００１３】
本発明は、かかる従来の問題を解決するものであり、ストップ端子とコイルコアとの間にごみが挟まったり、付着したりするのを防止するゴミ回避手法を講じることにより、ゴミを通じてのストップ端子からコイルコアへの漏電を防止可能にし、以って、内燃機関の正常動作を、安価かつ簡単な構成により維持管理することができる内燃機関の無接点点火装置用固定子を提供することを目的とする。
【課題を解決するための手段】
【００１４】
前記目的達成のために、本発明にかかる内燃機関の無接点点火装置用固定子は、エキサイタコイルが巻装されたコイルコアと、該コイルコアの近傍に配置され、前記エキサイタコイルに電気的に接続されたストップ端子とを、該ストップ端子および前記コイルコアの一部が外部に露出するように樹脂モールドしてなる内燃機関の無接点点火装置用固定子であって、前記ストップ端子には、前記コイルコアに対する絶縁保護用の絶縁保護ブラケットが装着されてなり、該絶縁保護ブラケットは、前記ストップ端子の上半部を残して、該ストップ端子と該ストップ端子近傍の前記コイルコアの一部とを絶縁分離するように被う形態であることを特徴とする。
【００１５】
この構成により、絶縁保護ブラケットは、ストップ端子およびコイルコア間を絶縁し、外部から機内のストップ端子付近に進入するゴミを、このストップ端子周辺以外の部位へガイドしながら機外へ排除するため、ゴミがストップ端子に引っ掛かったり、ストップ端子とコイルコアとの間に溜まったり、挟まったりすることも無くなり、コアへの漏電を惹き起こす事態を、未然に回避することができる。
【００１８】
また、本発明にかかる内燃機関の無接点点火装置用固定子は、前記絶縁保護ブラケッが、前記ストップ端子付近に流入する空気を、前記ストップ端子の下流側へスムースに送り出す傾斜面を一部に有することを特徴とする。
【００１９】
この構成により、空気の流れに沿って、外部から機内のストップ端子付近に流れ込む空気中にゴミが含まれていても、そのゴミをストップ端子付近に止まらせることなく、前記傾斜面に沿って速やかに機外に排出できる。従って、ゴミの付着を原因とするストップ端子からコイルコアへの漏電発生をさらに効果的に防止することができる。
【発明の効果】
【００２０】
本発明の内燃機関の無接点点火装置用固定子によれば、ストップ端子に、コイルコアに対する絶縁保護用の絶縁保護ブラケットを装着した構成とすることによって、絶縁保護ブラケットが、外部から機内のストップ端子付近に進入するゴミを、このストップ端子周辺以外の部位へガイドしながら機外へ排除することとなり、ゴミがストップ端子に引っ掛かるなどしてコアへの漏電を惹き起こすことを、未然に回避することができる。
【発明を実施するための最良の形態】
【００２１】
以下に、本発明の実施形態による内燃機関の無接点点火装置用固定子を、図面を参照しながら説明する。
【００２２】
図１はこの内燃機関の無接点点火装置用固定子を示す正面図、図２は同じく要部の斜視図である。同図において、エキサイタコイル１およびトリガコイル２が、コの字型コイルコア４の両脚部に装着されている。これらのエキサイタコイル１、トリガコイル２およびコイルコア４は、ともに樹脂モールド体１７として一体固形化されている。
【００２３】
これらのうち、ストップ端子１５は、ストップスイッチ１６の電気的接続が可能になるように、樹脂モールド体１７の凹部２１内にあって、上半部が露出している。また、コイルコア４の両脚部を除く部位が、空冷可能となるように樹脂モールド体から外に露出している。
【００２４】
ストップ端子１５と、このストップ端子１５に最も近い部位付近のコイルコア４のうち、樹脂モールド体１７から露出する部位とを被うように、絶縁保護ブラケット１８が装着されている。
【００２５】
この絶縁保護ブラケット１８は、合成樹脂などの絶縁材料により一体成型されている。この絶縁保護ブラケット１８は、ストップ端子収納部１９とコイルコア端収納部２０とを一体に有する。
【００２６】
これらのうち、ストップ端子収納部１９は、図３乃至図５に示すように、上方に開口する端子収納用の凹部２１を有し、この凹部２１の底部には下方に貫通する端子挿入孔２２が設けられている。
【００２７】
この端子挿入孔２２は、ストップ端子１５が密に挿入可能な長溝形状をなし、その挿入作業性をよくするために、一部が図４に示すように拡幅されている。
【００２８】
また、この端子挿入孔２２の下部は、下方に拡開する拡開部ａをなし、ストップ端子１５の基部付近に干渉することがないように、余裕を持ってこれを被う形状となっている。
【００２９】
一方、前記絶縁保護ブラケット１８のコイルコア端収納部２０は、コイルコア４のうち、ストップ端子１５に臨む部位付近のみを被う屋根形状をなし、下面および背面（後面）が開放されている。このため、コイルコア端収納部２０は、コイルコア４の前記ストップ端子１５に臨む部位付近に所定間隙をおいて合致する円弧形状面ｂに成形されている。
【００３０】
コイルコア端収納部２０の上面は、前方に向かって低く傾斜する傾斜面部２３とされている。この傾斜面部２３は、後述するように、絶縁保護ブラケット１８の前方から後方へ向かって流れる空気を、この空気に含まれるゴミとともにスムースに送り出すように機能し、例えば５０度の傾きに設計されている。
【００３１】
かかる構成になる絶縁保護ブラケット１８は、ストップ端子１５およびコイルコア４の一部を被うように、その樹脂モールド体１７に装着される。
【００３２】
この絶縁保護ブラケット１８の装着時には、ストップ端子１５に端子挿入孔２２を通し、コイルコア４の一部にコイルコア端収納部２０の下面部（前記円弧形状面ｂの部分）に対向させる。
【００３３】
前記樹脂モールド体１７に対する絶縁保護ブラケット１８の装着後は、これら相互の接触部間に隙間が生じないようにすることが肝要である。このため、これらの隙間を埋めるような処理、例えば接着剤を用いてこれらを接合したり、相互を凹凸形状の密嵌構造としたりすることが望ましい。
【００３４】
従って、このように絶縁保護ブラケット１８が取り付けられた樹脂モールド体１７では、これが、例えばチェーンソーの内燃機関における無接点点火装置に用いられた場合に、外気が木屑などのゴミとともに機内に取り込まれても、そのゴミを含む外気は、速やかに前記傾斜部２３に案内されて、機外に送り出される。
【００３５】
このため、ストップ端子１５とこれに近接する部位のコイルコア４との中間部のそのゴミが付着または残留することがなくなる。
【００３６】
この結果、ごみが前記中間部に付着するなどして生じていた、ストップ端子１５のコイルコア４を通じての従来のような漏電を、確実になくすることができる。
【００３７】
また、この漏電防止のための手段は、成形品である絶縁保護ブラケット１８を使用するのみであるところから、取り扱いや設置作業が容易で、コストも安く、経済的となる。
【００３８】
このように、本実施形態にあっては、エキサイタコイル１に電気的に接続されたストップ端子１５に、絶縁保護ブラケット１８を装着した構成としたことにより、外部から機内へ空気とともに流入したゴミを、このストップ端子１５周辺以外の部位へガイドしながら機外へ速やかに排除できる。従って、ゴミがストップ端子に引っ掛かるなどしてコアへの漏電が惹き起こされるという従来装置の欠点を解消することができる。
【産業上の利用可能性】
【００３９】
本発明にかかる内燃機関の無接点点火装置用固定子は、絶縁ブラケットが、外部から機内のストップ端子付近に空気とともに流入するゴミを、機内に付着、残留させずに、機外へ速やかに排除するため、ゴミがストップ端子に引っ掛かるなどしてストップ端子からコアへの漏電を惹き起こす事態を、簡単かつ安価な構成にて、未然に回避することができるという効果を有し、エキサイタコイルおよびこのエキサイタコイルを巻装したコイルコアとともに、内燃機関を強制的に停止に導くストップ端子を一体に備える内燃機関の無接点点火装置用固定子等に有用である。
【図面の簡単な説明】
【００４０】
【図１】本発明の実施形態による内燃機関の無接点点火装置用固定子を示す正面図である。
【図２】図１における内燃機関の無接点点火装置用固定子の要部を示す斜視図である。
【図３】図１における絶縁保護ブラケットを示す側面図である。
【図４】図３に示す絶縁保護ブラケットの平面図である。
【図５】図４に示す絶縁保護ブラケットのＡ−Ａ線断面図である。
【図６】従来の内燃機関の無接点点火装置を示す要部の構成図である。
【図７】従来の内燃機関の無接点点火装置を示す電気回路図である。
【図８】従来の内燃機関の無接点点火装置用固定子を示す正面図である。
【図９】図８における内燃機関の無接点点火装置用固定子の要部を示す斜視図である。
【符号の説明】
【００４１】
１  エキサイタコイル
２  トリガコイル
３  ロータ
４  コイルコア
５  磁石
６、７  磁極
８  充電回路
１０  点火用充放電コンデンサ
１１  イグニッションコイル
１２  スイッチング素子
１３  点火プラグ
１５  ストップ端子
１６  ストップスイッチ
１７  樹脂モールド体
１８  絶縁保護ブラケット
【図１】
0004806810.tif 000002
【図２】
0004806810.tif 000003
【図３】
0004806810.tif 000004
【図４】
0004806810.tif 000005
【図５】
0004806810.tif 000006
【図６】
0004806810.tif 000007
【図７】
0004806810.tif 000008
【図８】
0004806810.tif 000009
【図９】
0004806810.tif 000010